(57)【要約】【課題】小型端末においても使い勝手の良い読影作業を行うことができるようにする。【解決手段】読影用画像を保管する外部装置と、読影用画像を、タッチパネル４の表示画面上に表示する表示端末１と、を備え、表示端末１は、表示画面上に、読影用画像を表示する画像表示領域１０と、読影用画像を選択するための関連検査リストを表示する関連検査リスト表示領域２０と、を有しており、タッチパネルの表示画面に対する画面接触操作に基づいて、関連検査リストの内容が時系列順に順次表示される。【選択図】図２
2019111164.tif 000002
【特許請求の範囲】
【請求項１】
読影用画像を保管する外部装置と、
前記読影用画像を、タッチパネルの表示画面上に表示する表示端末と、を備え、
前記表示端末は、前記表示画面上に、前記読影用画像を表示する画像表示領域と、前記読影用画像を選択するための関連検査リストを表示する関連検査リスト表示領域と、を有しており、
前記タッチパネルの表示画面に対する画面接触操作に基づいて、前記関連検査リストにおける複数の関連検査の内容が時系列順に順次表示されることを特徴とする画像表示システム。
【請求項２】
前記タッチパネルの表示画面に対する画面接触操作は、前記関連検査リスト表示領域に対する画面接触操作であることを特徴とする請求項１に記載の画像表示システム。
【請求項３】
リスト化された前記複数の関連検査の内容は、前記関連検査を行った時期に基づいて、文字の表示形態が異なることを特徴とする請求項１又は２に記載の画像表示システム。
【請求項４】
前記画像表示領域は、前記読影用画像と併せて、当該読影用画像の付帯情報が表示可能となっており、
前記付帯情報を表す文字の表示形態と、前記複数の関連検査の内容を表す文字の表示形態が、前記関連検査を行った時期に基づいて同一に設定されていることを特徴とする請求項３に記載の画像表示システム。
【請求項５】
リスト化された前記複数の関連検査の内容には、前記関連検査を行った時期に基づいて、時期の前後関係を示すインジケーターが表示されていることを特徴とする請求項１〜４のいずれか一項に記載の画像表示システム。
【請求項６】
リスト化された前記複数の関連検査の内容は、モダリティーの種類或いは検査部位に基づいてソートされることを特徴とする請求項１〜５のいずれか一項に記載の画像表示システム。
【請求項７】
外部装置から受信した読影用画像を、タッチパネルの表示画面上に表示する表示部と、
前記表示画面上に、前記読影用画像を表示する画像表示領域と、前記読影用画像を選択するための関連検査リストを表示する関連検査リスト表示領域と、を有しており、
前記関連検査リスト表示領域に対する画面接触操作に基づいて、前記関連検査リストにおける複数の関連検査の内容が時系列順に順次表示されることを特徴とする画像表示端末。
【発明の詳細な説明】
【技術分野】
【０００１】
本発明は、画像表示システム及び画像表示端末に関する。
【背景技術】
【０００２】
従来、読影の対象となる画像と、過去取得した画像を参照画像として同一画面上に並べて、読影システムが開示されている（例えば、特許文献１参照。）。特許文献１には、過去画像の選択が容易となるように、同じ画面内に過去画像のサムネイル画像が複数表示されており、いわゆるドラッグアンドドロップ操作で、参照画像として選択できるようになっている。
【先行技術文献】
【特許文献】
【０００３】
【特許文献１】特開２００４−３０５２７２号公報
【発明の概要】
【発明が解決しようとする課題】
【０００４】
ところで、緊急での読影の必要性から、読影医による外出先からの読影のニーズが高まっている。その場合は、院内システムにおける表示画面の大きなモニターではなく、小型のモバイル端末で読影を行うことになるが、院内モニターでの表示レイアウトをそのまま採用しようとすると、表示画面サイズの制約を受けるために、使い勝手が悪くなり、緊急性が求められる読影作業において問題が生じる場合がある。
【０００５】
本発明の課題は、小型端末においても使い勝手の良い読影作業を行うことができるようにすることである。
【課題を解決するための手段】
【０００６】
上記課題を解決するため、請求項１に記載の発明は、画像表示システムであって、
読影用画像を保管する外部装置と、
前記読影用画像を、タッチパネルの表示画面上に表示する表示端末と、を備え、
前記表示端末は、前記表示画面上に、前記読影用画像を表示する画像表示領域と、前記読影用画像を選択するための関連検査リストを表示する関連検査リスト表示領域と、を有しており、
前記タッチパネルの表示画面に対する画面接触操作に基づいて、前記関連検査リストにおける複数の関連検査の内容が時系列順に順次表示されることを特徴としている。
【０００７】
上記課題を解決するため、請求項７に記載の発明は、画像表示端末であって、
外部装置から受信した読影用画像を、タッチパネルの表示画面上に表示する表示部と、
前記表示画面上に、前記読影用画像を表示する画像表示領域と、前記読影用画像を選択するための関連検査リストを表示する関連検査リスト表示領域と、を有しており、
前記関連検査リスト表示領域に対する画面接触操作に基づいて、前記関連検査リストにおける複数の関連検査の内容が時系列順に順次表示されることを特徴としている。
【発明の効果】
【０００８】
本発明によれば、小型端末においても使い勝手の良い読影作業を行うことができる。
【図面の簡単な説明】
【０００９】
【図１】表示端末の構成を示すブロック図である。
【図２】表示端末における表示画面の表示例を示す図である。
【図３】表示端末における表示画面の表示例を示す図である。
【図４】表示端末における表示画面の表示例を示す図である。
【図５】表示端末における表示画面の表示例を示す図である。
【図６】表示端末における表示画面の表示例を示す図である。
【図７】表示端末における表示画面の表示例を示す図である。
【図８】表示端末における表示画面の表示例を示す図である。
【図９】表示端末における表示画面の表示例を示す図である。
【図１０】表示端末における表示画面の表示例を示す図である。
【発明を実施するための形態】
【００１０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００１１】
まず、構成を説明する。
図１に、本実施形態における表示端末１（画像表示端末１）の全体構成を示す。
表示端末１は、スマートフォンやタブレット型コンピューターを始めとする、タッチパネルを備えた携帯端末機であり、ネットワークを介して外部装置と通信可能に接続されている。携帯端末機とされた表示端末１は、人が携帯して持ち運ぶのに適した小型端末でもある。本実施形態における表示端末１としては、タブレット型コンピューターが採用されている。
なお、ネットワークとは、例えばインターネット、ＷＡＮ（Wide Area Network）、ＬＡＮ（Local Area Network）、専用回線、またはこれらの組み合わせによって構成される情報通信ネットワークを指すものとする。
【００１２】
このような表示端末１は、図１に示すように、制御部２と、記憶部３と、タッチパネル４と、通信部５と、を備える。
【００１３】
制御部２は、ＣＰＵ、ＲＡＭ等により構成される。制御部２のＣＰＵは、記憶部３に記憶されているシステムプログラムや処理プログラム等の各種プログラムを読み出してＲＡＭに展開し、展開されたプログラムに従って各種処理を実行する。
【００１４】
記憶部３は、半導体の不揮発性メモリー等で構成されている。記憶部３には、本実施形態における表示端末１を動作させるのに必要なシステムプログラムや各種プログラムが記憶されている。
【００１５】
タッチパネル４は、入力部と表示部とを兼ねており、医師や放射線技師等であるユーザーの指やタッチペン等の操作子でタッチ操作された位置を検知して、その座標データを入力するもので、本実施形態においては、例えば静電容量方式あるいは抵抗皮膜方式が採用されているが、その他の方式であってもよい。
制御部２は、タッチパネル４へのタッチ操作を検出すると、そのタッチ操作の内容（種類）として、タッチパネル４の表示画面（端末画面）内の位置を指示するタッチ操作が行われたのか、表示画面（端末画面）に表示されている表示内容の変更を指示するタッチ操作が行われたのか、コマンドあるいはデータの入力を指示するタッチ操作が行われたのかを判別する。
【００１６】
通信部５は、例えば、Ｂｌｕｅｔｏｏｔｈ（登録商標）やＷｉ−Ｆｉ等の無線通信により外部装置とデータ送受信を行うためのインターフェースを有しており、後述する関連検査に係る医用画像（読影用画像）のデータや各種コマンドを始めとする様々なデータの送受信を可能としている。また、表示端末１は、特定の外部装置だけでなく、通信部５を通じて、その他の外部サーバーやサイト等にもアクセス可能となっている。
【００１７】
また、表示端末１は、図示はしないが、以上の制御部２等の他にも、電源部や外部接続部（有線インターフェース）、音声入力部、音声出力部等を適宜備える。
さらに、制御部２や記憶部３等の内部装置は、タッチパネル４と当該タッチパネル４を保持する外装筐体６の内側に収納されている。内部装置を機能させるためのボタン等の操作部（図示省略）が、必要に応じて外装筐体６に設けられているものとする。
【００１８】
以上のような構成の表示端末１は、外部装置から受信した読影用画像を、制御部２と記憶部３に記憶されたプログラムに基づいて、タッチパネル４の表示画面上に表示できるようになっている。そして、表示端末１は、このように外部装置との間で、読影用画像を含む関連検査に係るデータ等の送受信を行うことで画像表示システムを構築している。
【００１９】
外部装置は、図示はしないが、病院や診療所等における患者情報を管理するための院内サーバーであり、ユーザーは通常、院内クライアント端末を使用し、表示画面の大きな院内モニターを見ながら患者情報の管理・使用を行っている。表示端末１は、院外から院内サーバーである外部装置にアクセス可能となっており、必要な情報を管理・使用できるようになっている。
【００２０】
表示端末１によって管理・使用できる情報の一つとして、関連検査に係る医用画像（読影用画像）が挙げられる。関連検査とは、某日に行われた検査と、当該検査と関連のある検査とを含んだものであり、例えば同一患者に対して某日に行われた検査と、その検査の以前・以後に行なわれた検査等である。
関連検査に係る医用画像（読影用画像）は、院内サーバーの記憶部に記憶されている各画像の付帯情報を参照して検索され、例えば患者氏名、患者ＩＤ、検査部位の１つ、又は複数が同一で検査日付が某日よりも以前・以後のものである付帯情報があればその医用画像を関連検査分の医用画像（読影用画像）として判別することができる。
【００２１】
なお、某日とは、特に日付が指定されない日を指しており、例えば今日であってもよいし、過去の何れの日であってもよい。ただし、患者が過去に検査した日付は、予め判明しているものであるため、本実施形態においては、上述の某日とは、患者が検査を行った何れかの日を指すものとする。
【００２２】
表示端末１は、図２〜図７に示すように、タッチパネル４の表示画面上に、読影用画像を表示する画像表示領域１０と、読影用画像を選択するための関連検査リストを表示する関連検査リスト表示領域２０と、関連検査リストに対応するサムネイルを表示するサムネイル表示領域３０と、機能領域４０と、を有している。
【００２３】
画像表示領域１０は、表示画面を最も大きく占める領域であり、外部装置である院内サーバーから受信した読影用画像が表示される。
また、本実施形態における画像表示領域１０は、仕切り線１０ａ，１０ｂによって４つの領域に区切られており、これら４つの領域それぞれに、異なる読影用画像を表示できるようになっている。
なお、仕切り線１０ａ，１０ｂは、画像表示領域１０内で移動させたり、表示状態と非表示状態とを切り替えたりできるようにしてもよい。また、仕切り線１０ａ，１０ｂの本数を増減させて画像表示領域１０の区分けの仕方を変更できるようにしてもよい。これにより、画像表示領域１０内のレイアウトをユーザーの任意で変更することが可能となる。
【００２４】
画像表示領域１０に読影用画像を表示する際は、まず、ユーザーが、基準となる某日に行われた検査を指定する必要がある。本実施形態においては、図２に示すように「２０１７年０４月２１日」がユーザーによって指定された日付の検査（以下、当該検査と呼称する。））となっている。
すなわち、画像表示領域１０に読影用画像を表示するに当たっては、基準となる当該検査をユーザーが選択する必要がある。そして、表示端末１は、ユーザーによって選択された当該検査の読影用画像と、当該検査と関連する検査の読影用画像とを同時に外部装置である院内サーバーから受信することができるようになっている。
【００２５】
画像表示領域１０は、図６，図７に示すように、読影用画像と併せて、当該読影用画像の付帯情報１１ａ〜１１ｈ，１２ａ，１２ｂが表示可能となっている。
付帯情報１１ａ〜１１ｈ，１２ａ，１２ｂとしては、例えば患者氏名、患者ＩＤ、検査部位、検査日時、モダリティーの種類、読影用画像の拡大率等を始め、様々なものが挙げられる。
なお、モダリティーとは、画像表示領域１０に表示される画像を撮影した撮影装置の種類を指している。撮影装置の種類としては、例えば、放射線画像撮影装置（Flat Panel Detector）や乳房画像撮影装置（mammography）、ＣＴ（Computed Tomography）やＭＲＩ（Magnetic Resonance Imaging）、ＣＲ（Computed radiography）等がある。
【００２６】
また、画像表示領域１０に表示された読影用画像は、タッチパネル４に特有の操作を行うことで、その表示形態が変化する。すなわち、例えば画像表示領域１０に表示された読影用画像のうちの一つを、ピンチアウト操作を行うことで区分けされた領域内で拡大できたり、反対に、ピンチイン操作を行うことで縮小できたりする。その他にも、フリック操作又はスワイプ操作することで画像表示領域１０から一時的に外したり、ロングタップ操作を行うことで読影用画像を表示端末１の記憶部３にダウンロードしたりすることもできる。
【００２７】
関連検査リスト表示領域２０及びサムネイル表示領域３０は、横並びになって画像表示領域１０の下方（表示画面の下端）に配置されている。
【００２８】
関連検査リスト表示領域２０に表示される関連検査リストは、複数の関連検査の内容が時系列的にリスト化された状態で表示されるように設定されている。また、関連検査リストは、関連検査の内容の全部又は一部が、リスト化された状態で表示されている。このとき、関連検査の内容は複数列表示されてもよいし、１つのみ表示されてもよい。
より具体的に説明すると、複数の関連検査の内容は、文字（文字情報）によって表示されており、本実施形態においては、一つの関連検査の内容は、インジケーター・日付・モダリティー種類に係る情報が、順に横一列に並んで表示されている。そして、これらの情報を含む複数の関連検査の内容が、日付の順に縦方向に並んで、関連検査リスト表示領域２０に表示されている。
【００２９】
さらに、関連検査リスト表示領域２０は、図２，図３に示すように、指やタッチペン等による特定の操作に基づいて、関連検査リストの内容が時系列順に順次表示されるようになっている。すなわち、複数の関連検査の内容が、日付の順に縦方向に並んでいるため、縦方向にスクロール操作（いわゆるフリック操作）することによって、複数の関連検査の内容を日付の順に表示させることができる。
また、関連検査リスト表示領域２０にリスト表示される関連検査は、いわゆるドラム式（回胴式）にリストスクロールされる。このようなスクロール方式では、最も手前に位置するように見える関連検査と、奥まった位置に見える関連検査とが表示されることとなる。図２に示す例においては、当該検査の内容が最も手前に位置するように見えている。図３に示す例においては、図２の状態からスクロール操作を行い、当該検査ではない関連検査が最も手前に位置するように見える状態となっている。
なお、図２，図３においては関連検査リストが現在のリストを中心に上下に２つずつの計５が表示されているが、より文字を大きく表示するために、上下に１つずつの計３での表示や、単一の表示であってもよい。また、上下の矢印マークなどが追加で表示されて、この追加表示によって関連検査リストが上下にスクロールできることが分かるようにしてもよい。
【００３０】
一つの関連検査の内容に含まれるインジケーターは、基準となる当該検査と、それ以外の関連検査とを見分けるための、言わばマーク表示である。
そして、このインジケーターは、リスト化された複数の関連検査を行った時期に基づいて、その検査の時期の前後関係を示している。本実施形態において、基準となる当該検査は「＊」のインジケーターが表示されている。また、当該検査よりも古い日付の関連検査は「Ｐ（previous）」、当該検査よりも新しい日付の関連検査は「Ｎ（new）」が表示されている。「Ｐ」や「Ｎ」で表示される関連検査のうち当該検査に近い検査には、「Ｐ」や「Ｎ」に対して更に整数が付属して表示されるようになっている。すなわち、当該検査に対して直近する過去の関連検査は「Ｐ１」と表示され、反対に、当該検査に直近する新しい関連検査は「Ｎ１」と表示される。当該検査から離れるほど、入る整数は大きくなる。
また、一つの関連検査の内容に含まれるモダリティーの種類は、図２等に示すように、例えば「ＣＲ」、「ＣＴ」、「ＭＲ」のように、アルファベットによって表示されている。
【００３１】
リスト化された複数の関連検査の内容は、当該検査を含む関連検査を行った時期に基づいて、文字の表示形態が異なるように設定されている。
より詳細に説明すると、複数の関連検査の内容を表す文字は、そのフォント、色、サイズ、太さ、飾り、角度、文字間隔、文字幅等のうち少なくとも一つが、検査の時期（日付）に応じて、それぞれ異なるように設定されている。本実施形態においては、当該検査と、当該検査よりも古い日付の関連検査群と、当該検査よりも新しい日付の関連検査群の３種類に分けられており、検査の時期に応じて分けられた３種類は、それぞれ文字の表示形態が異なる。
【００３２】
本実施形態における関連検査リストの例では、当該検査の内容が、「＊２０１７／０４／２１  ＣＲ」となっており、フォントがポップ体とされ、文字サイズも大きく、かつ太字とされている。
当該検査よりも古い日付の関連検査（当該検査に直近）の内容は、「Ｐ１  ２０１７／０２／２０  ＣＴ」となっており、フォントがゴシック体とされ、文字サイズは小さく、かつ細字とされている。
当該検査よりも新しい日付の関連検査（当該検査に直近）の内容は、「Ｎ１  ２０１７／０５／３０  ＭＲ」となっており、フォントが明朝体とされ、文字サイズは小さく、かつ細字とされている。
【００３３】
また、本実施形態においては、関連検査リストに表示された各項目を、指やタッチペン等によってタップやスワイプ操作することで、画像表示領域１０に表示される読影用画像を切り替えられるようになっている。すなわち、当該検査の項目をタップ操作すれば、当該検査の読影用画像を表示することができ、当該検査以外の関連検査の項目をタップ操作すれば、その読影用画像を表示することができる。
【００３４】
また、画像表示領域１０に表示される付帯情報１１ａ〜１１ｈ，１２ａ，１２ｂを表す文字の表示形態と、関連検査リスト表示領域２０における複数の関連検査の内容を表す文字の表示形態が、図６，図７に示すように、関連検査を行った時期に基づいて同一に設定されている。
すなわち、画像表示領域１０に表示された読影用画像と、関連検査リストの内容とが一致しているか否かを、文字の表示形態を見ることで確認できるようになっている。
図６に示す例では、画像表示領域１０に表示された全ての読影用画像の付帯情報１１ａ〜１１ｈにおける文字の表示形態が、当該検査における文字の表示形態と同一になっている。そのため、図６における読影用画像は全て、当該検査に係る読影用画像であることが一目で確認できる。
図７に示す例では、画像表示領域１０に表示された読影用画像のうち、一つの読影用画像の付帯情報１２ａ，１２ｂにおける文字の表示形態が、関連検査（当該検査に直近する新しい関連検査）における文字の表示形態と同一になっている。そのため、図６における一つの読影用画像は、関連検査（当該検査に直近する新しい関連検査）の読影用画像であることが一目で確認できる。
【００３５】
続いて、サムネイル表示領域３０は、関連検査リスト表示領域２０において最も手前に位置するように見える検査に係る読影用画像をサムネイル表示する領域である。つまり、図２に示す例では、サムネイル表示領域３０には、当該検査のサムネイルが表示されている。また、図３に示す例では、関連検査（当該検査に直近する新しい関連検査）のサムネイルが表示されている。
また、このサムネイル表示領域３０に表示されたサムネイルは、図４，図５に示すように、指やタッチペン等によるドラッグ操作によって、画像表示領域１０に表示させることができる。より詳細に説明すると、図４のサムネイル表示領域３０に表示された何れかのサムネイルを、指やタッチペンでタッチし、表示画面から離さずにそのまま画像表示領域１０に引っ張っていく（図４中の矢印参照。）ことによって、図５に示すように読影用画像を表示することができる。なお、図７に示す例も、同様の手順を踏んだ表示画面の例である。
【００３６】
また、サムネイル表示領域３０は、横方向にスワイプ操作を行うことで、横方向にスクロールさせることができる。これにより、表示状態にあったサムネイルを非表示状態にし、非表示状態にあったサムネイルを表示状態にすることができる。
【００３７】
次に、機能領域４０は、画像表示領域１０に表示されている読影用画像の被写体となった患者の情報（患者氏名、患者ＩＤなど）を表示する患者情報表示欄４１と、複数の機能ボタンが置かれた帯状のツールバー４２と、を備える。
ツールバー４２に置かれた複数のボタンには、例えば、画像表示領域１０への付帯情報１１ａ〜１１ｈ，１２ａ，１２ｂの表示・非表示を切り替えるボタンや、読影用画像の編集や操作（例えば拡大・縮小操作など）に係るボタンを始めとする各種ボタンが含まれている。各種ボタンは、タップ操作によって機能させることができる。
【００３８】
なお、画像表示領域１０への付帯情報１１ａ〜１１ｈ，１２ａ，１２ｂの表示・非表示を切り替えるボタンをタップ操作して、画像表示領域１０に付帯情報１１ａ〜１１ｈ，１２ａ，１２ｂを表示させる場合、付帯情報１１ａ〜１１ｈ，１２ａ，１２ｂを表す文字の表示形態は、自動で、複数の関連検査の内容を表す文字の表示形態と同一になるように設定されているものとする。
【００３９】
以上のように構成された表示端末１は、特に限定されるものではないが、医師等のユーザーが院内クライアント端末から離れた場所におり、さらに、読影用画像の確認が必要な場合に使用されることを想定している。
【００４０】
本実施形態における表示端末１としては、タブレット型コンピューターが採用されているが、これに限られるものではなく、スマートフォンのように、より小型の端末を採用してもよい。タブレット型コンピューターよりも小型の表示端末が採用される場合、同じような表示画面のレイアウトにしてしまうと、読影用画像が小さくなりすぎてしまったり、各種操作がしにくかったりする。そのため、小型の端末を表示端末１として採用する場合には、小型の表示端末に適した表示画面のレイアウトにすることが望ましい。例えば画像表示領域１０は、仕切り線１０ａ，１０ｂが無く、一画面のレイアウトであってもよいものとする。
【００４１】
以上説明したように、本実施の形態によれば、読影用画像を保管する外部装置である院内サーバーと、外部装置である院内サーバーから受信した読影用画像を、タッチパネル４の表示画面上に表示する表示端末１と、を備え、表示端末１は、表示画面上に、読影用画像を表示する画像表示領域１０と、読影用画像を選択するための関連検査リストを表示する関連検査リスト表示領域２０と、を有しており、タッチパネル４の表示画面に対する画面接触操作に基づいて、関連検査リストにおける複数の関連検査の内容が時系列順に順次表示されるので、院内モニターでの表示レイアウトを採用しなくても、関連検査リスト表示領域２０に表示される複数の関連検査の内容を時系列順に順次表示しながら、読影用画像を確認したい関連検査を適切に選択でき、画像表示領域１０に反映させることができる。したがって、例えばスマートフォンやタブレット型コンピューターのような小型端末においても使い勝手の良い読影作業を行うことができる。
【００４２】
また、タッチパネル４の表示画面に対する画面接触操作は、関連検査リスト表示領域２０に対する画面接触操作であることから、関連検査リスト表示領域２０に表示される複数の関連検査の内容を時系列順に順次表示させたい場合に、操作したい箇所である関連検査リスト表示領域２０を直接操作することになり、直感的な操作が可能となる。
【００４３】
また、リスト化された複数の関連検査の内容は、関連検査を行った時期に基づいて、文字の表示形態が異なるので、文字の表示形態を確認すれば、複数の関連検査の時系列を容易に把握することができる。そのため、院内モニターでの表示レイアウトを採用しなくても、使い勝手の良い読影作業を行うことができる。
【００４４】
また、画像表示領域１０は、読影用画像と併せて、当該読影用画像の付帯情報１１ａ〜１１ｈ，１２ａ，１２ｂが表示可能となっており、付帯情報１１ａ〜１１ｈ，１２ａ，１２ｂを表す文字の表示形態と、複数の関連検査の内容を表す文字の表示形態が、関連検査を行った時期に基づいて同一に設定されているので、画像表示領域１０に表示された読影用画像が、複数の関連検査のうち、どの関連検査の読影用画像であるかを容易に把握できる。そのため、複数の関連検査の読影用画像を比較読影する際に、画像の取り違いが起こりにくく、使い勝手の良い読影作業を行うことができる。
【００４５】
また、リスト化された複数の関連検査の内容には、関連検査を行った時期に基づいて、時期の前後関係を示すインジケーターが表示されているので、例えば複数の関連検査の内容を表す文字の表示形態に似通ったものがあっても、文字の表示形態だけに依存せずにインジケーターの表示を確認して、複数の関連検査の時系列を容易に把握することができる。
【００４６】
また、本実施形態における表示端末１（画像表示端末１）によれば、外部装置から受信した読影用画像を、タッチパネル４の表示画面上に表示する表示部と、表示画面上に、読影用画像を表示する画像表示領域１０と、読影用画像を選択するための関連検査リストを表示する関連検査リスト表示領域２０と、を有しており、関連検査リスト表示領域２０に対する画面接触操作に基づいて、関連検査リストにおける複数の関連検査の内容が時系列順に順次表示されるので、院内モニターでの表示レイアウトを採用しなくても、関連検査リスト表示領域２０に表示される複数の関連検査の内容を時系列順に順次表示しながら、読影用画像を確認したい関連検査を適切に選択でき、画像表示領域１０に反映させることができる。したがって、例えばスマートフォンやタブレット型コンピューターのような小型端末においても使い勝手の良い読影作業を行うことができる。
【００４７】
〔構成例〕
なお、本発明を適用可能な実施形態は、上述した実施形態に限定されることなく、本発明の趣旨を逸脱しない範囲で適宜変更可能である。以下、構成例について説明する。以下に挙げる構成例は可能な限り組み合わせてもよい。
【００４８】
〔構成例１〕
本構成例における関連検査リストは、図８，図９に示すように、リスト化された複数の関連検査の内容が、モダリティーの種類或いは検査部位に基づいてソートされるようになっている。
【００４９】
図８に示す表示端末１の表示画面は、関連検査リスト表示領域２０に表示された複数の関連検査の内容のうち、モダリティーの種類を示すアルファベットの部位をタップ操作した状態である。
図８に示す例では、選択されたモダリティーの種類が「ＣＲ」であるが、これに限られるものではなく、関連検査リスト表示領域２０に表示されたモダリティーの種類であれば、いずれの場合であってもソートすることができる。
このような構成によれば、モダリティーごとに複数の関連検査の読影用画像を確認することができるので、使い勝手の良い読影作業を行うことができる。
【００５０】
図９に示す表示端末１の表示画面は、サムネイル表示領域３０に表示された複数のサムネイルのうち、任意の検査部位のサムネイルをタップ操作した状態である。
図９に示す例では、選択された検査部位が「肺野（及びその周囲胴体部）」であるが、これに限られるものではなく、サムネイル表示領域３０に表示された検査部位であれば、いずれの場合であってもソートすることができる。
このような構成によれば、任意の検査部位ごとに複数の関連検査の読影用画像を確認することができるので、使い勝手の良い読影作業を行うことができる。
【００５１】
〔構成例２〕
本構成例における画像表示領域１０には、図１０に示すように、複数の関連検査の内容が時系列的にリスト化された状態のサブ関連検査リスト２１が表示されている。
サブ関連検査リスト２１は、関連検査リスト表示領域２０をタップ操作することによって画像表示領域１０に表示させることができる。
このサブ関連検査リスト２１に表示された複数の関連検査の内容は、関連検査リスト表示領域２０に表示された複数の関連検査の内容と同一であり、一覧表示したい場合に使用される。
また、内容だけでなく、サブ関連検査リスト２１に表示された複数の関連検査の内容における文字の表示形態も、関連検査リスト表示領域２０に表示された複数の関連検査の内容における文字の表示形態と同一となっている。
【００５２】
なお、関連検査の数が多く、サブ関連検査リスト２１に収まりきらない場合は、サブ関連検査リスト２１をスクロール可能な構成としてもよい。
【００５３】
このような構成によれば、関連検査リスト表示領域２０に一度に表示しきれない複数の関連検査の内容を、サブ関連検査リスト２１に表示することができるので、複数の関連検査の内容を確認しやすく、使い勝手の良い読影作業を行うことができる
【符号の説明】
【００５４】
１  表示端末（画像表示端末）
２  制御部
３  記憶部
４  タッチパネル
５  通信部
６  外装筐体
１０  画像表示領域
１０ａ，１０ｂ  仕切り線
１１ａ〜１１ｈ  付帯情報
１２ａ，１２ｂ  付帯情報
２０  関連検査リスト表示領域
２１  サブ関連検査リスト
３０  サムネイル表示領域
４０  機能領域
４１  患者情報表示欄
４２  ツールバー
【図１】
2019111164.tif 000003
【図２】
2019111164.tif 000004
【図３】
2019111164.tif 000005
【図４】
2019111164.tif 000006
【図５】
2019111164.tif 000007
【図６】
2019111164.tif 000008
【図７】
2019111164.tif 000009
【図８】
2019111164.tif 000010
【図９】
2019111164.tif 000011
【図１０】
2019111164.tif 000012